(57)【要約】【課題】テザリングを提供する使用者機器でテザリングを提供する間に特定の条件が満足される場合は、ビーコンメッセージの送信周期を調節することができるテザリング方法及び装置を提供する。【解決手段】本発明によるテザリング装置は、テザリング動作のための命令が格納される格納部と、前記格納部に格納された命令を行う制御部とを有し、前記制御部は、少なくとも一つの対象端末にテザリングを提供する間に予め設定された条件を満足したか否かを判断し、前記予め設定された条件を満足した場合は、前記テザリングと関連し一定周期で送信されるビーコンメッセージの送信周期を調節する。【選択図】図２
2015089114.tif 000002
【特許請求の範囲】
【請求項１】
テザリング装置において、
テザリング動作のための命令が格納される格納部と、
前記格納部に格納された命令を行う制御部と
を有し、
前記制御部は、少なくとも一つの対象端末にテザリングを提供する間に予め設定された条件を満足したか否かを判断し、前記予め設定された条件を満足した場合は、前記テザリングと関連し一定周期で送信されるビーコンメッセージの送信周期を調節することを特徴とするテザリング装置。
【請求項２】
前記制御部は、
前記予め設定された条件を満足した場合は、前記送信周期を増加させることを特徴とする請求項１に記載のテザリング装置。
【請求項３】
前記制御部は、
前記予め設定された条件を満足した場合は、前記テザリング装置の消費電力を減少させるよう前記ビーコンメッセージの送信周期を調節することを特徴とする請求項１に記載のテザリング装置。
【請求項４】
前記制御部は、
前記テザリングを提供するための、前記対象端末の接続が解除された場合は前記送信周期を初期化することを特徴とする請求項１に記載のテザリング装置。
【請求項５】
前記予め設定された条件は、
前記テザリング装置の特定の方向への動きが認識される場合、前記テザリング装置の特定のボタンと関連した使用者入力が認識される場合、又は前記対象端末の数が特定の値以上の場合のうちいずれかの場合に満足されることを特徴とする請求項１に記載のテザリング装置。
【請求項６】
前記テザリング装置と機能的に接続され、前記テザリング装置の特定の方向への動きを感知するセンサ部をさらに有し、
前記制御部は、
少なくとも前記センサ部を介して入力されたセンサ値から認識された動きに基づき、前記予め設定された動作条件を満足したか否かを判断することを特徴とする請求項１に記載のテザリング装置。
【請求項７】
前記対象端末に前記テザリングを提供する間に使用者に前記テザリングを提供していることを報知し、前記使用者から前記テザリングと関連した入力を受けるためのテザリング接続画面を表示する表示部をさらに有することを特徴とする請求項１に記載のテザリング装置。
【請求項８】
前記テザリング接続画面の少なくとも一部は、
前記入力に反応し、前記予め設定された特定の条件を発生するための電源節減ボタンが具現されたことを特徴とする請求項７に記載のテザリング装置。
【請求項９】
前記制御部は、
少なくとも前記電源節減ボタンの操作有無に基づき、前記予め設定された条件を満足したか否かを判断することを特徴とする請求項８に記載のテザリング装置。
【請求項１０】
前記電源節減ボタンは、
ソフトキーの形態に具現されたことを特徴とする請求項８に記載のテザリング装置。
【請求項１１】
前記電源節減ボタンは、
スクロールバーの形態に具現されたことを特徴とする請求項８に記載のテザリング装置。
【請求項１２】
前記制御部は、
前記対象端末の数に基づき、前記予め設定された条件を満足したか否かを判断することを特徴とする請求項１に記載のテザリング装置。
【請求項１３】
前記制御部は、
前記対象端末のうち予め登録されたホワイトリスト（ｗｈｉｔｅｌｉｓｔ）上に存在する端末の数に基づき、前記予め設定された条件を満足したか否かを判断することを特徴とする請求項１に記載のテザリング装置。
【請求項１４】
少なくとも一つの対象端末にテザリングを提供する間に予め設定された条件を満足したか否かを確認するステップと、
前記予め設定された条件を満足したか否かに従い一定周期で送信されるビーコンメッセージの送信周期を調節するステップと、を有することを特徴とするテザリング方法。
【請求項１５】
前記調節するステップ（ｔｈｅ  ａｄｊｕｓｔｉｎｇ）は、
前記送信周期を増加させることを特徴とする請求項１４に記載のテザリング方法。
【請求項１６】
前記予め設定された条件を満足した場合は、前記テザリング装置の消費電力を減少させるよう前記送信周期を調節することを特徴とする請求項１４に記載のテザリング方法。
【請求項１７】
前記テザリングを提供するための、前記対象端末の接続が解除された場合は、前記ビーコンメッセ−ジの送信周期を初期化するステップをさらに有することを特徴とする請求項１４に記載のテザリング方法。
【請求項１８】
前記予め設定された条件は、
前記テザリング装置の特定の方向への動きが認識される場合、前記テザリング装置の特定のボタンと関連した使用者入力が認識される場合、又は前記対象端末の数が特定の値以上の場合のうちいずれかの場合に満足されることを特徴とする請求項１４に記載のテザリング方法。
【請求項１９】
少なくとも一つの対象端末と、
前記少なくとも一つの対象端末と近距離通信で接続され、外部の通信網と形成された通信チャンネルに対するテザリングを、前記少なくとも一つの対象端末に提供する使用者機器とを有し、
前記使用者機器は、
前記少なくとも一つの対象端末にテザリングを提供する間に予め設定された条件を満足したか否かに従い、前記テザリングと関連し送信されるビーコンメッセージの送信周期を調節することを特徴とするシステム。
【発明の詳細な説明】
【技術分野】
【０００１】
本発明は、テザリング方法及び装置に関し、特にビーコンメッセージの送信周期を調節することができるテザリング方法及び装置に関する。
【背景技術】
【０００２】
テザリング（ｔｅｔｈｅｒｉｎｇ）は、ＵＳＢ又はブルートゥース（Ｂｌｕｅｔｏｏｔｈ（登録商標））装置、ワイファイ（Ｗｉ−Ｆｉ（登録商標））などを介し電子装置と連結された周辺機器など、例えば、ノートパソコン、ネットブック、タブレットＰＣ、デスクトップＰＣ、電子ブック端末機、及びＰＤＡなどのようなＩＴ機器等に、電子装置に接続された外部の移動通信網のサービスを提供することである。
【０００３】
ここで、電子装置は無線インターネット接続ＡＰ（Ａｃｃｅｓｓ  Ｐｏｉｎｔ）の役割を果たし、各周辺機器は移動通信網に接続可能なモジュールがなくとも、電子装置を介し無線インターネットサービスの提供を受けることができるようになる。テザリングを提供する電子装置は、無線ＬＡＮ（Ｌｏｃａｌ  Ａｒｅａ  Ｎｅｔｗｏｒｋ）  ＡＰと同様に動作するため、テザリング接続を維持するためには、周期的に電子装置の存在及び位置を周辺機器等に知らせなければならない。したがって、電子装置は周期的にビーコンメッセージを生成して伝送することになる。
【発明の概要】
【発明が解決しようとする課題】
【０００４】
ところが、従来の電子装置はテザリングを提供する間は引続きビーコンメッセージを送信しなければならず、さらにビーコンメッセージは短い時間周期、例えば１００ｍｓ周期で送信されるため、頻繁なビーコンメッセージの送信により電子装置の消費電力が増加しやすい。
本発明は、上記従来の電子装置における問題点に鑑みてなされたものであって、本発明の目的は、テザリングを提供する使用者機器でテザリングを提供する間に特定の条件が満足される場合は、ビーコンメッセージの送信周期を調節することができるテザリング方法及び装置を提供することにある。
【課題を解決するための手段】
【０００５】
上記目的を達成するためになされた本発明によるテザリング装置は、テザリング動作のための命令が格納される格納部と、前記格納部に格納された命令を行う制御部とを有し、前記制御部は、少なくとも一つの対象端末にテザリングを提供する間に予め設定された条件を満足したか否かを判断し、前記予め設定された条件を満足した場合は、前記テザリングと関連し一定周期で送信されるビーコンメッセージの送信周期を調節することを特徴とする。
【０００６】
また、上記目的を達成するためになされた本発明によるテザリング方法は、少なくとも一つの対象端末にテザリングを提供する間に予め設定された条件を満足したか否かを確認するステップと、前記予め設定された条件を満足したか否かに従い一定周期で送信されるビーコンメッセージの送信周期を調節するステップと、を有することを特徴とする。
【０００７】
さらに、上記目的を達成するためになされた本発明によるシステムは、少なくとも一つの対象端末と、前記少なくとも一つの対象端末と近距離通信で接続され、外部の通信網と形成された通信チャンネルに対するテザリングを、前記少なくとも一つの対象端末に提供する使用者機器とを有し、前記使用者機器は、前記少なくとも一つの対象端末にテザリングを提供する間に予め設定された条件を満足したか否かに従い、前記テザリングと関連し送信されるビーコンメッセージの送信周期を調節することを特徴とする。
【発明の効果】
【０００８】
本発明に係るテザリング方法及び装置によれば、テザリングを提供する使用者機器でテザリングを提供する間、使用者からの手動操作又は自動動作によりビーコンメッセージの送信周期を可変的に適用することができるように支援する。
したがって、本発明の多様な実施形態で提案するテザリング方法及び装置によれば、テザリングを提供する使用者機器でテザリングを提供する間の電力消耗を最小化することができるように支援する。
【図面の簡単な説明】
【０００９】
【図１】本発明の実施形態によるシステム構成を示す図である。
【図２】本発明の実施形態によるテザリング装置の構成を示すブロック図である。
【図３】本発明の実施形態によるテザリング装置でテザリングを提供する方法を説明するためのフローチャートである。
【図４】本発明の実施形態によるテザリング装置でビーコンメッセージの送信周期を調節する方法を説明するためのフローチャートである。
【図５】本発明の実施形態によるテザリング装置で動作条件を認識する方法を説明するためのフローチャートである。
【図６】本発明の実施形態によるテザリング装置でボタン操作条件を認識する方法を説明するためのフローチャートである。
【図７】本発明の実施形態によるテザリング装置で接続端末の数に伴う条件を認識する方法を説明するためのフローチャートである。
【図８】本発明の実施形態によるテザリング装置でビーコンメッセージの送信周期を初期化する方法を説明するためのフローチャートである。
【図９】本発明の実施形態によるテザリング装置で動作を認識する動作の説明に参照される例示図である。
【図１０】本発明の一実施形態によるテザリング装置でボタン操作を認識する動作の説明に参照される例示図である。
【図１１】本発明の他の実施形態によるテザリング装置でボタン操作を認識する動作の説明に参照される例示図である。
【発明を実施するための形態】
【００１０】
次に、本発明に係る液晶表示装置を実施するための形態の具体例を図面を参照しながら説明する。
このとき、それぞれの図で同一の構成要素は可能な限り同一の符号で表す。さらに、既に公知の機能及び／又は構成に対する詳細な説明は省く。以下に開示した内容は、多様な実施形態に係る動作の理解に必要な部分を重点的に説明し、その説明の要旨を曖昧にし得る要素等に対する説明は省く。
さらに、図の一部の構成要素は誇張又は省略されるか、或いは概略的に図示され得る。各構成要素の大きさは実際の大きさを全的に反映するものではなく、よって、それぞれの図に描かれた構成要素等の相対的な大きさや間隔によりここに記載される内容等が制限されるものではない。
【００１１】
図１は、本発明の実施形態によるシステムの構成を示す図である。
図１に示す通り、本発明の実施形態に係るシステムは、テザリング装置１０及び少なくとも一つの対象端末（３０ａ、３０ｂ）を含む。
テザリング装置１０はテザリングを提供する使用者機器であり、対象端末（３０ａ、３０ｂ）はテザリング装置１０からテザリングの提供を受ける端末である。ここで、テザリング装置１０は移動通信網、例えば、３Ｇ（Ｇｅｎｅｒａｔｉｏｎ）、４Ｇ（Ｇｅｎｅｒａｔｉｏｎ）、４Ｇ  ＬＴＥ（Ｌｏｎｇ  Ｔｅｒｍ  Ｅｖｏｌｕｔｉｏｎ）などの通信網に接続可能な通信インタフェースを支援する通信モジュールと、近距離通信を支援する無線ＬＡＮモジュールを含む使用者機器であってもよい。
【００１２】
一方、対象端末（３０ａ、３０ｂ）は、テザリング装置１０との近距離通信を支援する無線ＬＡＮモジュールを備えた端末であってもよい。対象端末（３０ａ、３０ｂ）は、テザリング装置１０とのテザリング接続を介しテザリング装置１０と通信網の間に形成された通信チャンネルの提供を受けるため、移動通信網との通信を支援する別途の通信モジュールを備えなくてもよい。
一例として、対象端末（３０ａ、３０ｂ）はノートパソコン、ネットブック、タブレットＰＣ、デスクトップＰＣ、電子ブック端末機、及びＰＤＡなどの無線端末であってもよい。
【００１３】
テザリング装置１０は、少なくとも一つの対象端末（３０ａ、３０ｂ）との近距離通信、例えばワイファイ（Ｗｉ−Ｆｉ（登録商標））接続を通じて対象端末（３０ａ、３０ｂ）にテザリングを提供することができる。テザリング装置１０は、対象端末（３０ａ、３０ｂ）にテザリングを提供する間に、予め設定された条件を満足したのか否かに従い、テザリング接続維持のため送信されるビーコンメッセージの送信周期を調節することができる。
ここに、テザリング装置１０の具体的な構成に対する説明は、図２を参照してより詳しく説明する。
【００１４】
図２は、本発明の実施形態によるテザリング装置の構成を示すブロック図である。
図２に示す通り、テザリング装置１０のハードウェア構成は、制御部１１０、入力部１２０、表示部１３０、センサ部１４０、格納部１５０及び通信部１６０を含むことができる。
【００１５】
入力部１２０は、使用者から所定の信号の入力を受ける装置である。このとき、入力部１２０は複数のキーボタンが備えられたキーパッドであり得る。さらに、入力部１２０は画面上にソフトキーの具現が可能なタッチスクリーンであってもよい。その外にも、ジョイスティック、ホイールなどのように使用者の操作によりテザリング装置１０へ信号入力が可能な手段であれば何れも適用可能である。さらに、入力部１２０はテザリング装置１０のテザリングモード動作を行うために選択される機能キー、ソフトキーなどに具現され得る。
【００１６】
表示部１３０は、テザリング装置１０の動作に伴う実行画面を表示する手段である。表示部１３０は、液晶表示装置（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ  Ｅｍｉｔｔｉｎｇ  Ｄｉｏｄｅ）、能動型ＯＬＥＤ（ＡＭＯＬＥＤ、Ａｃｔｉｖｅ  Ｍａｔｒｉｘ  ＯＬＥＤ）などのような形態に具現されてもよく、タッチ基盤の入力を支援するタッチスクリーン形態に具現されてもよい。
【００１７】
ここで、表示部１３０はテザリングモードの環境設定のための画面を表示することができる。さらに、表示部１３０は、テザリング装置１０がテザリングモードで動作する間に具現可能な形態の画面、例えばテザリング接続画面を表示することができる。このとき、表示部１３０を介し表示されるテザリング接続画面はテザリングモード時のテザリング接続状態を案内する画面であって、テザリングモードの設定に従い電源節減ボタンが具現され得る。
表示部１３０は、テザリングモードの設定変更又は解除のためのボタン又はメニューが具現されてもよい。一例として、電源節減ボタンはソフトキーの形態に具現されてもよく、スクロールバーの形態に具現されてもよい。
【００１８】
センサ部１４０は、テザリング装置本体に対する動きを感知することができる。ここで、センサ部１４０は、テザリング装置本体の動きから３軸の位置変化に応じた電気的信号を出力するジャイロセンサ、テザリング装置本体の動きから発生する３軸の加速度に応じた電気的信号を出力する加速度センサ、及びテザリング装置本体が他の物体に接近するのか否かを検出する近接センサのうち少なくとも一つであってもよい。センサ部１４０は、前述したセンサ以外にも、振動、照度などのようにテザリング装置本体の動きを感知することができるセンサであればいずれも適用可能である。
【００１９】
さらに、センサ部１４０は、テザリング装置１０がテザリングモードで動作する場合、各センサから動作を検出することができる。このとき、センサ部１４０は、検出された動き情報をビーコンメッセージの送信周期を調節するための動作条件を満足するのか否かを判断するため判断部１９に提供することができる。
【００２０】
格納部１５０は、テザリング装置１０の動作のための設定値を格納することができる。格納部１５０は、テザリング装置１０の動作を具現するためのプログラム、アプリケーションなどを格納することもできる。さらに、格納部１５０は、テザリングモード動作のための環境設定値を格納することができる。
一例として、格納部１５０は、テザリングモード時にビーコンメッセージの送信周期を調節するため設定された特定の条件、即ち、特定の動きに対する動作条件、電源節減ボタン操作の条件、及び設定された数の対象端末接続の条件などに対する情報を格納することができる。ここで、格納部１５０は、予め登録されたホワイトリスト（ｗｈｉｔｅｌｉｓｔ）を格納することもできる。勿論、前述した特定の条件の種類は一実施形態であるだけで、これに限定されるものではない。
【００２１】
さらに、格納部１５０は、テザリングモードの動作時にビーコンメッセージの送信周期に対する情報、及びビーコンメッセージの送信周期の調節に適用される情報を格納することもできる。格納部１５０は、テザリング装置１０と対象端末の間のテザリングを行うことにおいて発生する情報、例えば、ＭＡＣ（Ｍｅｄｉａ  Ａｃｃｅｓｓ  Ｃｏｎｔｒｏｌ）アドレス、端末機識別情報及びＳＳＩＤ（Ｓｅｔ  Ｓｅｒｖｉｃｅ  Ｉｄｅｎｔｉｆｉｅｒ）などを格納することができる。
【００２２】
通信部１６０は、テザリング装置１０に無線方式の通信インタフェースを支援することができる。ここで、通信部１６０は、少なくとも一つの対象端末との近距離通信を支援する無線ＬＡＮモジュール１６１、及び通信網との通信チャンネルを形成する通信モジュール１６５を含むことができる。ここで、無線ＬＡＮモジュール１６１は、多様な形態の近距離通信方式を支援することができる。但し、以下で説明する本発明の多様な実施形態では、無線ＬＡＮモジュール１６１がワイファイ（Ｗｉ−Ｆｉ（登録商標））方式を適用したことを一例にして説明するが、これに限定されるものではない。
【００２３】
無線ＬＡＮモジュール１６１は、通信モジュール１６５により通信網との通信チャンネルが形成された状態でテザリング装置１０がテザリングモードで動作する場合、ワイファイ接続された対象端末に通信モジュール１６５により形成された通信チャンネルに対するテザリングを支援することになる。
無線ＬＡＮモジュール１６１は、対象端末との接続のためのビーコンメッセージを送信することができる。さらに、無線ＬＡＮモジュール１６１は、対象端末とテザリング接続された場合は、対象端末とのテザリング接続を維持するか、他の対象端末との接続のためのビーコンメッセージを一定周期の間隔で送信することができる。
【００２４】
制御部１１０は、内部に信号処理部１１１、テザリング設定部１１３、テザリング遂行部１１５、判断部１１７、及び電源制御部１１９を含むことができる。ここで、信号処理部１１１は、制御部１１０内部の各部間に伝達される信号を処理することができる。
テザリング設定部１１３は、テザリングモード動作のための環境を設定することができる。例えば、テザリング設定部１１３は、テザリング接続可能な最大端末の数、ビーコンメッセージの初期送信周期、ビーコンメッセージの送信周期を調節するための特定の条件、及びビーコンメッセージの変換送信周期などを設定することができる。
【００２５】
一例として、テザリング設定部１１３は、テザリング接続可能な最大端末の数を１０、ビーコンメッセージの初期送信周期を１００ｍｓ、変換送信周期を１ｓなどに設定することができる。勿論、これは一実施形態であるだけで、これに限定されるものではない。
さらに、テザリング設定部１１３は、ビーコンメッセージの送信周期を調節するための特定の条件の設定において、手動又は自動の切換方式に従い特定の条件を設定することができる。言い換えれば、テザリング設定部１１３は、手動方式でビーコンメッセージの送信周期を調節するための動作条件及び／又は電源節減ボタン操作条件などを設定することができる。
【００２６】
さらに、テザリング設定部１１３は、自動方式でビーコンメッセージの送信周期を調節するための条件を設定することができる。一例として、ビーコンメッセージの送信周期を調節するための接続端末の数、即ち、しきい値を設定することができる。ここで、テザリングを提供する対象端末の数が二台になると、ビーコンメッセージの送信周期を調節させる場合しきい値を２に設定することができる。
【００２７】
他の例として、テザリング設定部１１３は、ビーコンメッセージの送信周期を調節するための接続端末の数をカウントする対象をホワイトリスト上に存在する端末に限定することができる。ここで、テザリング設定部１１３は、ホワイトリスト上に存在する対象端末のうち少なくとも一つの対象端末が接続したとき、ビーコンメッセージの送信周期を調節させる場合、しきい値を特定の数値、例えば、１に設定することができる。
一方、テザリング設定部１１３は、対象端末にテザリングを提供する間に予め設定された特定の条件を満足した場合は、テザリング装置１０の電源節減機能を行うように設定することができる。ここで、テザリング設定部１１３は、テザリング装置１０の電源節減機能を行う場合、ビーコンメッセージの送信周期を調節するように設定することができる。
【００２８】
テザリング遂行部１１５は、テザリング装置１０がテザリングモードで動作する場合、テザリング設定部１１３により設定された環境で、無線ＬＡＮモジュールを介しワイファイ接続された少なくとも一つの対象端末の要請に従い、当該対象端末にテザリングを提供することができる。
ここで、テザリング遂行部１１５は、テザリング接続のためのビーコンメッセージを生成し、無線ＬＡＮモジュールを介して送信することができる。このとき、ビーコンメッセージに対応し、テザリング接続を要請した対象端末にテザリングを提供することになる。
【００２９】
一方、テザリング遂行部１１５は、少なくとも一つの対象端末にテザリングを提供する間にテザリング接続を維持するためのビーコンメッセージを生成し、無線ＬＡＮモジュールを介して送信することができる。この場合、テザリング遂行部１１５は、少なくとも一つの対象端末にテザリングを提供する間、設定された送信周期に従いビーコンメッセージを繰り返して送信することができる。このとき、テザリング遂行部１１５は、初期に設定された第１周期でビーコンメッセージを送信することができ、電源制御部１１９の制御に従い第２周期でビーコンメッセージを送信することができる。ここで、ビーコンメッセージは、テザリング装置１０のＭＡＣ（Ｍｅｄｉａ  Ａｃｃｅｓｓ  Ｃｏｎｔｒｏｌ）アドレス、端末機識別情報及びＳＳＩＤ（Ｓｅｔ  Ｓｅｒｖｉｃｅ  Ｉｄｅｎｔｉｆｉｅｒ）のうち少なくとも一つを含むことができる。
【００３０】
判断部１１７は、テザリング装置１０が少なくとも一つの対象端末にテザリングを提供する間、予め設定された特定の条件を満足したか否かを判断することができる。ここで、予め設定された特定の条件は、テザリング装置１０の特定の方向への動きが認識される場合、テザリング装置１０の特定のボタンと関連した使用者入力が認識される場合、及び対象端末の数が特定の値以上の場合のうちいずれかの場合に満足され得る。
【００３１】
一例として、手動動作によるビーコンメッセージの送信周期の調節のため動作条件が設定された場合、判断部１１７はセンサ部１４０を介し入力されたセンサ値から認識された動きに基づき、予め設定された動作条件を満足したか否かを判断することができる。ここで、動作条件は、テザリング装置本体を前面状態から後面状態に覆す動作、上、下、左、右のうち少なくとも一方向に動く動作、特定の方向に回転する動作、テザリング装置１０の画面を特定の方向にドラッグする動作などが該当され得る。勿論、その他にも使用者により操作可能な形態の動作であればいずれも適用可能なことは当然である。
【００３２】
さらに、手動でボタンを介したビーコンメッセージの送信周期調節の条件が設定された場合、判断部１１７は少なくとも一つの対象端末にテザリングを提供する間、ボタン（例えば、電源節減ボタン）の操作有無に基づき、予め設定されたボタン操作条件を満足したか否かを判断することができる。ここで、電源節減ボタンは、テザリング接続画面上に具現された電源節減ボタンであってもよく、キーパッド上に割り当てられたキーボタンであってもよい。さらに、テザリング接続画面上に具現された電源節減ボタンは、ソフトキーの形態に具現されてもよく、スクロールバーの形態に具現されてもよい。
【００３３】
万が一、手動動作によるビーコンメッセージの送信周期調節のため動作条件及びボタン操作条件が設定された場合、判断部１１７は、センサ部１４０を介して入力されたセンサ値から認識された動き及びボタン操作のうち少なくとも一つに基づき、予め設定された動作条件及び／又はボタン操作条件を満足したか否かを判断することができる。
他の例として、自動動作によるビーコンメッセージの送信周期調節のためテザリングを提供する対象端末の数に対ししきい値が設定された場合、判断部１１７はテザリングを提供する対象端末の数をカウントし、カウントされた対象端末の数に基づき、予め設定された対象端末接続の条件を満足したか否かを判断することができる。
一方、接続端末の数をカウントする対象がホワイトリスト上に存在する端末に限定された場合、判断部１１７は、テザリングを提供する対象端末のうち予め登録されたホワイトリスト上に存在する端末の数に基づき、予め設定された対象端末接続の条件を満足したか否かを判断することができる。
【００３４】
電源制御部１１９は、テザリング遂行部１１５により対象端末にテザリングを提供する間、判断部１１７から予め設定された特定の条件を満足したと通知された場合、対象端末にテザリングを提供する間に一定周期で送信されるビーコンメッセージの送信周期を増加させることができる。一例として、ビーコンメッセージの初期に設定された送信周期が第１周期（約１００ｍｓ）に設定され、電源節減機能の実行時の送信周期が第２周期（約１ｓ）に設定された場合、電源制御部１１９は予め設定された特定の条件を満足した場合、ビーコンメッセージの送信周期を増加させることができる。このとき、前記第２周期の周期値は前記第１周期の周期値より大きく設定し、送信周期は第１周期から第２周期に調節することができる。
【００３５】
他の例として、電源制御部１１９は、対象端末にテザリングを提供する間に予め設定された特定の条件を満足した場合、テザリング装置１０の消費電力を減少させるようにすることができる。ここで、電源制御部１１９は電源節減機能を行うことができ、テザリング装置１０の電源節減機能が行われれば、ビーコンメッセージの送信周期を第１周期から第２周期に調節することができる。
一方、電源制御部１１９は、電源節減機能の実行時に少なくとも一つの対象端末とのテザリング接続が解除された場合、電源節減機能の実行を終了することができる。このとき、電源制御部１１９はビーコンメッセージの送信周期を再度元の状態に初期化することができる。言い換えれば、電源制御部１１９は、電源節減機能の実行に伴い、第１周期から第２周期に調節されたビーコンメッセージの送信周期を再度第１周期に調節することができる。
【００３６】
以下では、テザリング装置の動作の流れに対し追加情報を示す。
図３は、本発明の実施形態によるテザリング装置でテザリングを提供する方法を説明するためのフローチャートである。
図３に示す通り、ステップＳ１００で、テザリング装置がテザリングモードで動作すると、ステップＳ１１０で、テザリング装置は対象端末とのテザリング接続のためのビーコンメッセージを送信することができる。このとき送信されたビーコンメッセージに対応し、ステップＳ１２０のように対象端末からテザリング接続の要請が入力されると、ステップＳ１３０でテザリング装置は対象端末とテザリング接続を行うことができる。ここで、テザリング装置は、ステップＳ１４０のようにテザリング装置と通信網の間に形成された通信チャンネルに対し、対象端末にテザリングを提供することができる。
【００３７】
ステップＳ１５０でテザリング装置は、テザリングモード終了命令の発生に伴いテザリングモードを終了することができる。例えば、テザリング装置は、使用者によりテザリングモード終了ボタンが操作されるか、テザリング接続された全ての対象端末とのテザリング接続が解除された場合、テザリングモードを終了することができる。テザリングモードを終了したあとテザリングモードの動作開始の命令があれば、テザリング装置はステップＳ１００から再度行うことができる。
【００３８】
ステップＳ１５０でテザリングモードを終了しない場合、テザリング装置はステップＳ１６０で、設定された送信周期（Ｔ）が経過するのかを判断し、設定された送信周期が経過すれば、ステップＳ１７０でビーコンメッセージを送信することができる。ここで、送信周期（Ｔ）は、後述する図４及び図８の動作等により第１周期（ｔ１）又は第２周期（ｔ２）に設定され得る。したがって、テザリング装置は、送信周期（Ｔ）の設定値に従い、ｔ１を送信周期にしてビーコンメッセージを送信するか、ｔ２を送信周期にしてビーコンメッセージを送信することができる。
【００３９】
このとき、ステップＳ１７０で送信されたビーコンメッセージにより既にテザリング接続された対象端末とのテザリング接続が維持可能である。さらに、ステップＳ１７０で送信されたビーコンメッセージにより他の対象端末がテザリング接続を要請することもできる。万が一、ステップＳ１８０で他の対象端末から更にテザリング接続の要請が入力されれば、テザリング装置はステップＳ１３０で当該対象端末とのテザリング接続を行うことができる。
一方、ステップＳ１８０で他の対象端末からのテザリング接続の要請がない場合は、ステップＳ１５０からステップＳ１７０を繰り返して行うことができる。
【００４０】
図４は、本発明の実施形態によるテザリング装置でビーコンメッセージの送信周期を調節する方法を説明するためのフローチャートである。
図４に示す通り、ステップＳ１４０で対象端末にテザリングを提供する間、テザリング装置はステップＳ２００で予め設定された条件、言い換えれば、ビーコンメッセージの送信周期を調節するため設定された特定の条件を満足したか否かを判断することができる。ステップＳ２００で特定の条件を満足したか否かを判断する動作に対する具体的な実施形態は、図５から図７を参照しながらより詳しく説明する。ここで、ビーコンメッセージの送信周期（Ｔ）は、初期設定値が第１周期（ｔ１）に設定されたものと仮定して説明する。
【００４１】
万が一、ステップＳ２００で特定の条件が満足された場合、テザリング装置はステップＳ２１０でビーコンメッセージの送信周期（Ｔ）を第２周期（ｔ２）に調節することができる。ここで、第２周期（ｔ２）は初期に設定された第１周期（ｔ１）より時間間隔が長く設定され得る。したがって、ビーコンメッセージの送信周期（Ｔ）を第２周期（ｔ２）に調節するに伴い、テザリングモードで動作する間にビーコンメッセージの送信による消費電力を節減することができる。
【００４２】
テザリング装置は、ステップＳ２００で特定の条件を満足した場合、以前に設定されたビーコンメッセージの送信周期（Ｔ）を維持することができる。言い換えれば、送信周期（Ｔ）が初期設定値である第１周期（ｔ１）に設定された状態で特定の条件を満足しなければ、テザリング装置は送信周期（Ｔ）を第１周期（ｔ１）に維持することができる。テザリング装置は、ステップＳ２１０により送信周期（Ｔ）が第２周期（ｔ２）に予め調節された状態でステップＳ２００を再度行う場合、予め設定された特定の条件を満足しなければ送信周期（Ｔ）を第２周期に維持することができる。次いで、テザリング装置は図３のステップＳ１５０を行うことができる。
図４に示していないが、他の実施形態として、ステップＳ２００で特定の条件を満足した場合、テザリング装置は消費電力を減少させるため電源節減機能を行うことによりステップＳ２１０を行うこともできる。
【００４３】
図５は、本発明の実施形態によるテザリング装置で動作条件を認識する方法を説明するためのフローチャートであり、ビーコンメッセージの送信周期を調節するための動作条件が設定された場合の条件判別動作を示した図である。ここで、図５は、使用者の手動操作により発生した値が特定の条件を満足するのか否かを判断する動作を示した図である。
図５に示す通り、テザリング装置はステップＳ２００で特定の条件を満足するのか否かを判断するため、ステップＳ２０１ａのようにテザリング装置に備えられた少なくとも一つの動作感知センサからセンサ値が入力されれば、ステップＳ２０３ａで、入力されたセンサ値が予め設定された特定の方向への動きに対する動作センサ値であるのかを判断することができる。万が一、ステップＳ２０３ａで、入力されたセンサ値が予め設定された特定の方向への動きに対する動作センサ値の場合、テザリング装置はステップＳ２１０を行うことができる。
一方、ステップＳ２０１ａでセンサ値が入力されないか、或いはステップＳ２０１ａで入力されたセンサ値が予め設定された特定の方向への動きに対する動作センサ値でない場合、テザリング装置は直ちにステップＳ１５０を行うことができる。
【００４４】
図６は、本発明の実施形態によるテザリング装置でボタン操作条件を認識する方法を説明するためのフローチャートであり、ビーコンメッセージの送信周期を調節するためのボタン操作条件が設定された場合の条件判別動作を示した図である。ここで、図６は、使用者の手動操作により発生した値が特定の条件を満足するのか否かを判断する動作を示した図である。
図６に示す通り、テザリング装置はステップＳ２００で予め設定された特定の条件を満足したか否かを判断するため、ステップＳ２０１ｂのようにテザリング接続画面を表示することができる。ここで、テザリング装置は、テザリング接続画面を表示する場合、ステップＳ２０３ｂのように電源節減ボタンを構成しテザリング接続画面上に共に表示することができる。テザリング装置はステップＳ２０５ｂで、テザリング接続画面に表示された電源節減ボタンが使用者により操作されるのか否かを判断することができる。
【００４５】
万が一、ステップＳ２０５ｂで使用者により電源節減ボタンが選択されたものと判断されれば、テザリング装置はステップＳ２１０を行うことができる。一実施形態によれば、テザリング装置は前記テザリング接続に対応する画面にビーコンメッセージ周期に対応するメニューを提供することができる。テザリング装置は、前記ビーコンメッセージ周期に対応するメニューに対応する入力に基づき、ステップＳ２１０を行うことができる。
ステップＳ２０５ｂで使用者により電源節減ボタンが操作されていない場合、テザリング装置は直ちにステップＳ１５０を行うことができる。
【００４６】
図７は、本発明の実施形態によるテザリング装置で接続端末の数に伴う条件を認識する方法を説明するためのフローチャートであり、ビーコンメッセージの送信周期を調節するためテザリング接続端末の数に対するしきい値が設定された場合の条件判別動作を示し、自動で特定の条件を満足するのか否かを判断する動作を示した図である。
図７に示す通り、テザリング装置はステップＳ２００で予め設定された特定の条件を満足したか否かを判断するため、ステップＳ２０１ｃのように現在テザリング装置とテザリング接続された対象端末の数を確認することができる。
【００４７】
このとき、テザリング装置はステップＳ２０３ｃのように、ステップＳ２０１ｃで確認された端末の数としきい値（Ｎ）を比べ、その結果によって特定の条件を満足したか否かを判断することができる。
ステップＳ２０３ｃでテザリング装置に接続された対象端末の数がしきい値と同じであるかしきい値（Ｎ）を超過する場合、テザリング装置はステップＳ２１０を行うことができる。
ステップＳ２０３ｃでテザリング装置に接続された対象端末の数がしきい値未満の場合、テザリング装置は直ちにステップＳ１５０を行うことができる。
【００４８】
図８は、本発明の実施形態によるテザリング装置でビーコンメッセージの送信周期を初期化する方法のフローチャートである。ここで、図８の動作等は、テザリング機能の遂行時、テザリング接続された対象端末にテザリングを提供する間に行われ得る。
図８に示す通り、ステップＳ１４０で対象端末にテザリングを提供する間、テザリング装置はステップＳ３００でテザリング接続が解除されるのか否かを感知することができる。
【００４９】
ステップＳ３００で対象端末にテザリングを提供する間に少なくとも一つの対象端末とのテザリング接続が解除された場合、テザリング装置はステップＳ３１０でビーコンメッセージの送信周期（Ｔ）を第１周期（ｔ１）に初期化することができる。勿論、ステップＳ３１０を行う前にビーコンメッセージの送信周期（Ｔ）が予め第１周期（ｔ１）に設定された状態であればステップＳ３１０は省かれてもよい。次いで、テザリング装置は図３のステップＳ１５０を行うことができる。
図８には示していないが、他の実施形態として、ステップＳ３１０を行う前にテザリング装置が電源節減機能の実行動作により送信周期（Ｔ）が第２周期（ｔ２）に設定された場合は、電源節減機能の実行を終了したあとステップＳ３１０を行うこともできる。
【００５０】
図９は、本発明の実施形態によるテザリング装置で特定の動作を認識する動作の説明に参照される例示図である。
テザリングモードの動作時、使用者はテザリングを提供する使用者機器を使用しないままにする場合が発生し得る。この場合、使用者はテザリングを提供する使用者機器であるテザリング装置の画面を確認する必要がない。
【００５１】
したがって、テザリング装置は、図９に示す通り、対象端末にテザリングを提供する間、テザリング装置の前面が上向きに置かれた状態から後面が上向きに置かれた状態になれば、テザリング装置のセンサは当該テザリング装置を覆す動作を感知するか、対象端末の前面に物体が接近するのか否かを感知し、ビーコンメッセージの送信周期を調節させることができる。このとき、テザリング装置は、対象端末にテザリングを提供する間、テザリング接続維持のため送信されるビーコンメッセージの送信周期の時間間隔が長くなるように調節することにより、頻繁なビーコンメッセージの送信による消費電力を最少化することができるようになる。
ここで、センサは、テザリング装置本体の回転動作を感知する地磁気センサであってもよく、前面に配置された近接センサであってもよい。
勿論、図９ではテザリング装置の本体を覆す動作としてビーコンメッセージの送信周期を調節させる実施形態を示したが、これは一実施形態であるだけで、これに限定されるものではない。
【００５２】
図１０は、本発明の一実施形態によるテザリング装置でボタン操作を認識する動作の説明に参照される例示図である。
テザリング装置は、対象端末と無線通信（例：ワイファイ）で接続された状態で対象端末にテザリングを提供する場合、例えば図１０に示す通り、テザリング接続画面９１０を表示することができる。このとき、テザリング装置は、テザリング接続画面９１０上にソフトキー形態のメニュー９２０を提供し、使用者をしてビーコンメッセージの送信周期の調節を選択させることができる。
【００５３】
この場合、使用者がテザリング接続画面９１０上に提供されるソフトキー形態のメニュー９２０を操作すれば、テザリング装置が当該メニュー９２０の操作を感知しビーコンメッセージの送信周期を調節させることができる。したがって、テザリング装置は、対象端末にテザリングを提供する間、テザリング接続維持のため送信されるビーコンメッセージの送信周期の時間間隔が長くなるように調節することにより、頻繁なビーコンメッセージの送信による消費電力を最少化することができるようになる。
【００５４】
図１１は、本発明の他の実施形態によるテザリング装置でボタン操作を認識する動作の説明に参照される例示図である。
テザリング装置は、対象端末とワイファイ接続された状態で対象端末にテザリングを提供する場合、図１１に示す通り、スクロールバー１０２０が具現されたテザリング接続画面１０１０を表示することができる。ここで、スクロールバーは電源節減ボタンをソフトキーでない他の形態に具現したものである。
【００５５】
この場合、使用者はテザリング接続画面１０１０上に具現されたスクロールバー１０２０を左側から右側方向にスクロールすることができ、テザリング装置がテザリング接続画面１０１０上に具現されたスクロールバー１０２０の操作を感知し、ビーコンメッセージの送信周期を調節することができる。したがって、テザリング装置は、対象端末にテザリングを提供する間、テザリング接続維持のため送信されるビーコンメッセージの送信周期の時間間隔が長くなるように調節することにより、頻繁なビーコンメッセージの送信による消費電力を最少化することができるようになる。
【００５６】
以上、本発明で開示されたブロック図等は、本発明の原理等を具現するための回路を概念的に表現した形態として当業者に解釈され得るはずである。同様に、任意のフローチャート、流れ図、状態転移図、疑似コードなどはコンピュータ読取可能媒体で実質的に表現され、コンピュータ又はプロセッサが明示的に示されるか否かを問わず、このようなコンピュータ又はプロセッサにより行われ得る多様なプロセスを示すとのことが当業者に認識されるはずである。したがって、前述した本発明の多様な実施形態は、コンピュータで実行可能なプログラムで作成可能であり、コンピュータで読み取ることのできる記録媒体を利用して前記プログラムを動作させる汎用デジタルコンピュータで具現され得る。前記コンピュータで読取可能な記録媒体は、マグネチック格納媒体（例えば、ＲＯＭ、フロッピー（登録商標）ディスク、ハードディスクなど）、光学的読取媒体（例えば、ＣＤ−ＲＯＭ、ＤＶＤなど）のような格納媒体を含むことができる。
【００５７】
図等に示した多様な要素の機能等は適宜なソフトウェアと関連し、ソフトウェアを実行することのできるハードウェアだけでなく、専用ハードウェアの利用を介し提供可能である。プロセッサにより提供されるとき、このような機能は単一専用プロセッサ、単一共有プロセッサ、又は一部が共有可能な複数の個別プロセッサにより提供され得る。
本明細書を介し開示された全ての実施形態と条件付例示は、本発明の技術分野で通常の知識を有する当業者が、読者が本発明の原理と概念を理解するのに一助するための意図に記述されたものであって、当業者は本発明が本発明の本質的な特性から外れない範囲で変形された形態に具現可能であることを理解することができるはずである。したがって、開示された実施形態等は、限定的な観点でなく説明的な観点で考慮されなければならない。本発明の範囲は前述の説明でなく特許請求の範囲に表れており、それと同等な範囲内にある全ての相違点は本発明に含まれるものと解釈されなければならないはずである。
【符号の説明】
【００５８】
１０    テザリング装置
３０ａ、３０ｂ    端末
１１０    制御部
１２０    入力部
１３０    表示部
１４０    センサ部
１５０    格納部
１６０    通信部
９１０、１０１０    テザリング接続画面
９２０    メニュー
１０２０    スクロールバー
【図１】
2015089114.tif 000003
【図２】
2015089114.tif 000004
【図３】
2015089114.tif 000005
【図４】
2015089114.tif 000006
【図５】
2015089114.tif 000007
【図６】
2015089114.tif 000008
【図７】
2015089114.tif 000009
【図８】
2015089114.tif 000010
【図９】
2015089114.tif 000011
【図１０】
2015089114.tif 000012
【図１１】
2015089114.tif 000013